(57)【要約】【課題】  釣り竿を即座に取り外し可能であると共に、釣り竿を大きく傾斜させて掛けてもずり落ちることがない竿掛け具を提供すること。【解決手段】  リール２を取り付けた釣り竿３を掛けて保持する竿掛け具１であって、土台部４と、土台部上に立設された一対の支柱部５と、一対の支柱部５間に水平に架け渡された支持棒部６と、一対の支柱部に一対の端部が支持棒部と平行な軸線を中心に回動可能に取り付けられたコ字状棒部材７とを備え、コ字状棒部材が、支柱部に対してその傾斜角度が変更可能であり、支持棒部がリールを係止可能であると共に、前記係止した状態でコ字状棒部材の先端部上で釣り竿のリールより先端側を支持可能である。【選択図】      図１
0003215752.tif 000002
【実用新案登録請求の範囲】
【請求項１】
リール又はフックを取り付けた釣り竿を掛けて保持する竿掛け具であって、
土台部と、
前記土台部上に立設された一対の支柱部と、
一対の前記支柱部間に架け渡された支持棒部と、
一対の前記支柱部に一対の端部が前記支持棒部と平行な軸線を中心に回動可能に取り付けられたコ字状棒部材とを備え、
前記コ字状棒部材が、前記支柱部に対してその傾斜角度が変更可能であり、
前記支持棒部が前記リール又は前記フックを係止可能であると共に、前記係止した状態で前記コ字状棒部材の先端部上で前記釣り竿の前記リール又は前記フックより先端側を支持可能であることを特徴とする竿掛け具。
【請求項２】
請求項１に記載の竿掛け具において、
前記リールが、スピニングリールであり、リール本体と、前記リール本体から突出し前記釣り竿に装着可能な竿装着部とを備え、
前記支持棒部を前記リール本体と前記釣り竿との間に配して前記支持棒部に前記竿装着部が係止可能であると共に、前記係止した状態で前記コ字状棒部材の先端部上で前記釣り竿の前記スピニングリールより先端側を支持可能であることを特徴とする竿掛け具。
【請求項３】
請求項１又は２に記載の竿掛け具において、
前記コ字状棒部材を支持して前記コ字状棒部材の傾斜状態を保持するストッパ部を備えていることを特徴とする竿掛け具。
【請求項４】
請求項１から３のいずれか一項に記載の竿掛け具において、
前記土台部が、互いに平行に延在した一対の長尺棒部材と、
一対の前記長尺棒部材間に架け渡された複数の横棒部材とにより梯子状に構成され、
一対の前記支柱部が、一対の前記長尺棒部材の一端側に立設されていることを特徴とする竿掛け具。
【請求項５】
請求項４に記載の竿掛け具において、
一対の前記支柱部及び前記コ字状棒部材が、前記土台部上に折り畳み可能であることを特徴とする竿掛け具。
【請求項６】
請求項１から５のいずれか一項に記載の竿掛け具において、
前記コ字状棒部材の先端部に巻回され互いに間隔を空けて設置されていると共に弾性材料で形成された一対の弾性凸部を備えていることを特徴とする竿掛け具。
【請求項７】
請求項１から６のいずれか一項に記載の竿掛け具において、
前記コ字状棒部材が、その先端部にＶ字状又はＵ字状に曲がった凹み部を有していることを特徴とする竿掛け具。
【考案の詳細な説明】
【技術分野】
【０００１】
本考案は、スピニングリールを取り付けた釣り竿を掛けて保持することが可能な竿掛け具に関する。
【背景技術】
【０００２】
一般に、磯釣りや堤防での釣りなどの際に、釣り竿を掛けて保持する竿掛け具が用いられている。例えば、特許文献１には、ホルダ基部と、ホルダ基部から前方に延出して設けられ釣り竿を載置支持する前受部と、ホルダ基部から後方に延出して釣り竿の上面を支持する後受部と、ホルダ基部の下部に垂設されたホルダ支柱とを備えた釣り竿ホルダが提案されている。この釣り竿ホルダでは、前受部が釣り竿を載置支持するため正面Ｕ字状に形成され、後受部が釣り竿の上面を支持するため倒立Ｕ字状に形成されている。
【先行技術文献】
【特許文献】
【０００３】
【特許文献１】特開平１１−１５５４５２号公報
【考案の概要】
【考案が解決しようとする課題】
【０００４】
上記従来の技術には、以下の課題が残されている。
従来の竿掛け具では、釣り竿を後受部と前受部とにより支持しているが、釣り竿の先端側下面と基端側上面との２箇所を支持するために、釣り竿を竿掛け具に差し込み難いと共に、抜き取り難い構造となっている。すなわち、釣り竿を竿掛け具に掛ける場合には、まず釣り竿の基端部を後受部の前方から後受部の下に差し込んで基端側上面を後受部に係合させた後、先端側を前受部上に載置する必要がある。また、掛けた釣り竿を外す場合には、一旦、釣り竿を前方にスライドさせて基端部を後受部の前方に移動させることで後受部から外し、その状態で先端側を前受部から上方に浮かせる必要がある。特に、魚が掛かったときに、即座に釣り竿の先端側を上に挙げて、いわゆる「合わせ」を行うと共に、釣り竿を竿掛け具から外したい場合に、従来の竿掛け具では、釣り竿を後受部の前方に一旦スライドして外す動作が必要になるため、瞬間的に「合わせ」及び釣り竿の取り外しを同時に行うことが困難であった。
また、釣り竿を竿掛け具に掛けた際に、釣り竿を前方下方に傾けて設置するが、この傾斜角度が大きくなると、釣り竿が前方にずり落ちて基端部が後受部から外れてしまう問題もあった。
【０００５】
本考案は、前述の課題に鑑みてなされたもので、釣り竿を即座に取り外し可能であると共に、釣り竿を大きく傾斜させて掛けてもずり落ちることがない竿掛け具を提供することを目的とする。
【課題を解決するための手段】
【０００６】
本考案は、前記課題を解決するために以下の構成を採用した。すなわち、第１の考案に係る竿掛け具は、スピニングリールを取り付けた釣り竿を掛けて保持する竿掛け具であって、土台部と、前記土台部上に立設された一対の支柱部と、一対の前記支柱部間に架け渡された支持棒部と、一対の前記支柱部に一対の端部が前記支持棒部と平行な軸線を中心に回動可能に取り付けられたコ字状棒部材とを備え、前記コ字状棒部材が、前記支柱部に対してその傾斜角度が変更可能であり、前記支持棒部が前記リール又は前記フックを係止可能であると共に、前記係止した状態で前記コ字状棒部材の先端部上で前記釣り竿の前記リール又は前記フックより先端側を支持可能であることを特徴とする。
【０００７】
この竿掛け具では、コ字状棒部材が、支柱部に対してその傾斜角度が変更可能であり、支持棒部がリール又はフックを係止可能であると共に、前記係止した状態でコ字状棒部材の先端部上で釣り竿のリール又はフックより先端側を支持可能であるので、ワンアクションで釣り竿を掛けること及び外すことが可能である。すなわち、釣り竿を掛ける際には支持棒部の後方から釣り竿を差し込むことで、リール又はフックが支持棒部に係止されると共に、釣り竿の先端側がコ字状棒部材の先端部上に載置される。また、釣り竿を外す際には、釣り竿を支持棒部の後方に引き抜くようにすることで、支持棒部によるリール又はフックの係止が解除され、容易に釣り竿を取り外すことができる。さらに、その際に、釣り竿の先端部を上に挙げることで、魚が掛かった際の「合わせ」も同時にかつ即座に行うことが可能になる。なお、釣り竿の先端側を支持するコ字状棒部材の傾斜角度を変えることができるが、その傾斜角度を大きく設定しても、支持棒部がリール又はフックを係止しているため、前方にずり落ちることもない。
また、支持棒部及びコ字状棒部材の先端部は、従来の竿掛け具よりも広い幅を有していることから、幅に応じて複数本の釣り竿を掛けることも可能になると共に、釣り竿の先端方向も従来に比べて広い範囲で任意に向けることが可能になる。
【０００８】
第２の考案に係る竿掛け具は、第１の考案において、前記リールが、スピニングリールであり、リール本体と、前記リール本体から突出し前記釣り竿に装着可能な竿装着部とを備え、前記支持棒部を前記リール本体と前記釣り竿との間に配して前記支持棒部に前記竿装着部が係止可能であると共に、前記係止した状態で前記コ字状棒部材の先端部上で前記釣り竿の前記スピニングリールより先端側を支持可能であることを特徴とする。
すなわち、この竿掛け具では、支持棒部をリール本体と釣り竿との間に配して支持棒部に竿装着部が係止可能であると共に、係止した状態でコ字状棒部材の先端部上で釣り竿のスピニングリールより先端側を支持可能であるので、ワンアクションでスピニングリールを取り付けた釣り竿を掛けること及び外すことが可能である。すなわち、釣り竿を掛ける際には、リール本体を下側に配した状態でリール本体と釣り竿との間に支持棒部を配するようにして支持棒部の後方から釣り竿を差し込むことで、竿装着部が支持棒部に係止されると共に、釣り竿の先端側がコ字状棒部材の先端部上に載置される。また、釣り竿を外す際には、釣り竿を支持棒部の後方に引き抜くようにすることで、支持棒部による竿装着部の係止が解除され、容易に釣り竿を取り外すことができる。
【０００９】
第３の考案に係る竿掛け具は、第１又は第２の考案において、前記コ字状棒部材を支持して前記コ字状棒部材の傾斜状態を保持するストッパ部を備えていることを特徴とする。
すなわち、この竿掛け具では、コ字状棒部材を支持してコ字状棒部材の傾斜状態を保持するストッパ部を備えているので、釣り竿の重さによってコ字状棒部材の先端側が下がって傾斜角度が変わってしまうことを防止できる。
【００１０】
第４の考案に係る竿掛け具は、第１から第３の考案のいずれかにおいて、前記土台部が、互いに平行に延在した一対の長尺棒部材と、一対の前記長尺棒部材間に架け渡された複数の横棒部材とにより梯子状に構成され、一対の前記支柱部が、一対の前記長尺棒部材の一端側に立設されていることを特徴とする。
すなわち、この竿掛け具では、土台部が、互いに平行に延在した一対の長尺棒部材と、一対の長尺棒部材間に架け渡された複数の横棒部材とにより梯子状に構成されているので、全体的が棒状の部材で構成されて軽量である。また、一対の支柱部が、一対の長尺棒部材の一端側に立設されているので、全体の重心が支柱部よりも他端側にあるため、釣り竿を掛けた状態でも一端側（前方）に倒れることを防止できる。
【００１１】
第５の考案に係る竿掛け具は、第４の考案において、一対の前記支柱部及び前記コ字状棒部材が、前記土台部上に折り畳み可能であることを特徴とする。
すなわち、この竿掛け具では、一対の支柱部及びコ字状棒部材が、土台部上に折り畳み可能であるので、梯子状の土台部上に一対の支柱部及びコ字状棒部材を折り畳むと低背化でき、コンパクトな状態で搬送や収納が可能になる。
【００１２】
第６の考案に係る竿掛け具は、第１から第５の考案のいずれかにおいて、前記コ字状棒部材の先端部に巻回され互いに間隔を空けて設置されていると共に弾性材料で形成された一対の弾性凸部を備えていることを特徴とする。
すなわち、この竿掛け具では、コ字状棒部材の先端部に巻回され互いに間隔を空けて設置されていると共に弾性材料で形成された一対の弾性凸部を備えているので、一対の弾性凸部の間で釣り竿を載置することで、釣り竿が左右にずれることを一対の弾性凸部で抑制可能である。また、一対の弾性凸部が、弾性材料で形成されているため、釣り竿が当たっても釣り竿を傷付けることがない。
【００１３】
第７の考案に係る竿掛け具は、第１から第６の考案のいずれかにおいて、前記コ字状棒部材が、その先端部にＶ字状又はＵ字状に曲がった凹み部を有していることを特徴とする。
すなわち、この竿掛け具では、コ字状棒部材が、その先端部にＶ字状又はＵ字状に曲がった凹み部を有しているので、凹み部に釣り竿を載置することで位置決めされ、釣り竿が左右にずれ難くなる。
【考案の効果】
【００１４】
本考案によれば、以下の効果を奏する。
すなわち、本考案に係る竿掛け具によれば、コ字状棒部材が、支柱部に対してその傾斜角度が変更可能であり、支持棒部がリール又はフックを係止可能であると共に、前記係止した状態でコ字状棒部材の先端部上で釣り竿のリール又はフックより先端側を支持可能であるので、ワンアクションで釣り竿を掛けること及び外すことが可能であると共に、掛けた釣り竿の傾斜を大きくしても前方にずり落ちることもない。
したがって、本考案の竿掛け具では、従来よりも釣り竿を掛ける動作及び外す動作が簡易であり、ストレスが少ないと共に、即座の「合わせ」も可能であり、魚が掛かった際のタイミングを逃すことがない。
【図面の簡単な説明】
【００１５】
【図１】本考案に係る竿掛け具の第１実施形態において、釣り竿を掛けた状態でコ字状棒部材の先端部及び支持棒部の途中で破断した場合の竿掛け具を示す要部の側面図である。
【図２】第１実施形態において、竿掛け具を示す斜視図である。
【図３】第１実施形態において、折り畳んだ状態の竿掛け具を示す側面図である。
【図４】第１実施形態において、釣り竿を掛けた状態の竿掛け具を示す要部の斜視図である。
【図５】本考案に係る竿掛け具の第２及び第３実施形態において、コ字状棒部材の先端部を示す正面図である。
【図６】本考案に係る竿掛け具の第４実施形態において、釣り竿を掛けた状態でコ字状棒部材の先端部及び支持棒部の途中で破断した場合の竿掛け具を示す要部の側面図である。
【図７】本考案に係る竿掛け具の第５実施形態において、釣り竿を掛けた状態でコ字状棒部材の先端部及び支持棒部の途中で破断した場合の竿掛け具を示す要部の側面図である。
【図８】本考案に係る竿掛け具の第６実施形態において、釣り竿を掛けた状態でコ字状棒部材の先端部及び支持棒部の途中で破断した場合の竿掛け具を示す要部の側面図である。
【図９】本考案に係る竿掛け具の第１実施形態において、両軸リール及びフックを取り付けた釣り竿を掛けた状態でコ字状棒部材の先端部及び支持棒部の途中で破断した場合を示す要部の簡易的な側面図である。
【考案を実施するための形態】
【００１６】
以下、本考案に係る竿掛け具の第１実施形態を、図１から図４を参照しながら説明する。
【００１７】
本実施形態の竿掛け具１は、図１から図４に示すように、リール２を取り付けた磯竿等の釣り竿３を掛けて保持する竿掛け具であって、土台部４と、土台部４上に立設された一対の支柱部５と、一対の支柱部５間に水平に架け渡された支持棒部６と、一対の支柱部５に一対の端部が支持棒部６と平行な軸線を中心に回動可能に取り付けられたコ字状棒部材７とを備えている。
【００１８】
上記リール２は、スピニングリールであり、リール本体２ａと、リール本体２ａから突出し釣り竿３に装着可能な竿装着部２ｂとを備えている。
上記竿装着部２ｂは、リール本体２ａの下部から斜め上前方に延びて突出しており、先端部が釣り竿３のリール取り付け部に取り付け可能な形状とされている。したがって、リール２を釣り竿３に取り付けると、竿装着部２ｂによって、釣り竿３とリール本体２ａの間に一定のスペースが形成される。
【００１９】
上記コ字状棒部材７は、支柱部５に対してその傾斜角度が変更可能である。
上記支持棒部６は、リール２を係止可能であると共に、前記係止した状態でコ字状棒部材７の先端部７ａ上で釣り竿３のリール２より先端側を支持可能である。
すなわち、本実施形態の竿掛け具１は、支持棒部６をリール本体２ａと釣り竿３との間に配して支持棒部６に竿装着部２ｂが係止可能であると共に、係止した状態でコ字状棒部材７の先端部７ａ上で釣り竿３のリール２より先端側を支持可能である。
【００２０】
上記支持棒部６は、その両端部が一対の支柱部５の途中に接続されている。
上記コ字状棒部材７の一対の端部は、一対の第１回動用部材１１の一端に固定されていると共に、一対の第１回動用部材１１の他端部１１ａは、一対の支柱部５の上部に回動可能に取り付けられている。したがって、コ字状棒部材７は、一対の第１回動用部材１１の他端部１１ａを軸として回動可能であり、先端部７ａを前方下方に向けて任意の傾斜角度で傾斜可能になっている。
【００２１】
また、コ字状棒部材７の一対の端部から先端部７ａまでの途中には、それぞれ第１リンク部材１２の一端部１２ａが回動可能に取り付けられ、第１リンク部材１２の他端部１２ｂには第２リンク部材１３の一端部が回動可能に取り付けられている。さらに、第２リンク部材１３の他端部が、支柱部５の支持棒部６より下方に回動可能に取り付けられている。すなわち、第１リンク部材１２及び第２リンク部材１３によりコ字状棒部材７が任意の傾斜角度で支持されている。なお、第１回動用部材１１，第１リンク部材１２及び第２リンク部材１３の回転軸は、いずれも支持棒部６に平行である。
【００２２】
また、本実施形態の竿掛け具１は、図１に示すように、コ字状棒部材７を支持してコ字状棒部材７の傾斜状態を保持するストッパ部９を備えている。このストッパ部９は、任意の高さに設定された棒状部材である。すなわち、棒状のストッパ部９を、第１リンク部材１２の他端部１２ｂの下端に上部を当接された状態で設置面に立設させることで、第１リンク部材１２がこれ以上下がらないと共に、コ字状棒部材７の先端部７ａもこれ以上下がらなくなり、傾斜角度を固定することができる。
【００２３】
なお、ストッパ部９の長さを任意の長さに変更することで、コ字状棒部材７の傾斜角度を変えることも可能である。なお、ストッパ部９の使用は任意であり、釣り竿３を掛けた状態でも釣り竿３の荷重に抗してコ字状棒部材７の傾斜角度が変わらない場合は、ストッパ部９を用いなくなくてもよい。
【００２４】
上記土台部４は、互いに平行に延在した一対の長尺棒部材４ａと、一対の長尺棒部材４ａ間に架け渡された複数の横棒部材４ｂとにより梯子状に構成されている。
また、一対の支柱部５は、一対の長尺棒部材４ａの一端側に、一対の長尺棒部材４ａに対して垂直に立設されている。
一対の支柱部５は、支持棒部６で互いに連結されているだけでなく、支持棒部６の下方で一対の支柱部５間に架け渡された連結棒部５ａによっても連結されている。なお、この連結棒部５ａを支持棒部として用いても構わない。
また、土台部４，支柱部５，支持棒部６及びコ字状棒部材７は、いずれもステンレスやアルミニウム等の金属のパイプ部材で構成されている。
【００２５】
上記一対の支柱部５及びコ字状棒部材７は、図２に示す状態から図３に示すように、土台部４上に折り畳み可能である。
すなわち、一対の支柱部５の基端部は、一対の第２回動用部材１４の一端に固定されていると共に、一対の第２回動用部材１４の他端部１４ａは、一対の長尺棒部材４ａの一端側に回動可能に取り付けられている。一対の第２回動用部材１４の他端部１４ａは、支持棒部６に沿った軸線を中心に回動可能とされている。なお、一対の第２回動用部材１４は、支柱部５が長尺棒部材４ａに対して垂直に立設した状態から一端側へは回動しないようになっている。
【００２６】
したがって、一対の支柱部５は、一対の第２回動用部材１４の他端部１４ａを軸として立設状態から長尺棒部材４ａの他端側に回動可能であり、土台部４上に折り畳み可能である。
また、コ字状棒部材７も、傾斜角度を変えて一対の支柱部５側に折り畳み可能であるため、支柱部５側に折り畳んだ状態で一対の支柱部５を土台部４上に折り畳むと、コ字状棒部材７も土台部４上に折り畳まれた状態となる。
【００２７】
このように本実施形態の竿掛け具１では、コ字状棒部材７が、支柱部５に対してその傾斜角度が変更可能であり、支持棒部６がリール２を係止可能であると共に、前記係止した状態でコ字状棒部材７の先端部７ａ上で釣り竿のリール２より先端側を支持可能であるので、ワンアクションで釣り竿３を掛けること及び外すことが可能である。すなわち、釣り竿３を掛ける際には支持棒部６の後方から釣り竿３を差し込むことで、リール２が支持棒部６に係止されると共に、釣り竿３の先端側がコ字状棒部材７の先端部７ａ上に載置される。
【００２８】
また、釣り竿３を外す際には、釣り竿３を支持棒部６の後方に引き抜くようにすることで、支持棒部６によるリール２の係止が解除され、容易に釣り竿３を取り外すことができる。さらに、その際に、釣り竿３の先端部を上に挙げることで、魚が掛かった際の「合わせ」も同時にかつ即座に行うことが可能になる。なお、釣り竿３の先端側を支持するコ字状棒部材７の傾斜角度を変えることができるが、その傾斜角度を大きく設定しても、支持棒部６がリール２を係止しているため、前方にずり落ちることもない。
【００２９】
特に、リール２がスピニングリールであるので、釣り竿３を掛ける際には、リール本体２ａを下側に配した状態でリール本体２ａと釣り竿３との間に支持棒部６を配するようにして支持棒部６の後方から釣り竿３を差し込むことで、竿装着部２ｂが支持棒部６に係止されると共に、釣り竿３の先端側がコ字状棒部材７の先端部７ａ上に載置される。また、釣り竿３を外す際には、釣り竿３を支持棒部６の後方に引き抜くようにすることで、支持棒部６による竿装着部２ｂの係止が解除され、容易に釣り竿３を取り外すことができる。
【００３０】
また、支持棒部６及びコ字状棒部材７の先端部７ａは、従来の竿掛け具よりも広い幅を有していることから、幅に応じて複数本の釣り竿３を掛けることも可能になると共に、釣り竿３の先端方向も従来に比べて広い範囲で任意に向けることが可能になる。
また、コ字状棒部材７を支持してコ字状棒部材７の傾斜状態を保持するストッパ部９を備えているので、釣り竿３の重さによってコ字状棒部材７の先端側が下がって傾斜角度が変わってしまうことを防止できる。
【００３１】
また、土台部４が、一対の長尺棒部材４ａと、一対の長尺棒部材４ａ間に架け渡された複数の横棒部材４ｂとにより梯子状に構成されているので、全体的が棒状の部材で構成されて軽量である。また、一対の支柱部５が、一対の長尺棒部材４ａの一端側に立設されているので、全体の重心が支柱部５よりも他端側にあるため、釣り竿３を掛けた状態でも一端側（前方）に倒れることを防止できる。
【００３２】
さらに、一対の支柱部５及びコ字状棒部材７が、土台部４上に折り畳み可能であるので、梯子状の土台部４上に一対の支柱部５及びコ字状棒部材７を折り畳むと低背化でき、コンパクトな状態で搬送や収納が可能になる。
なお、一対の支柱部５及びコ字状棒部材７を折り畳まず、土台部４を垂直に立てると、一対の支柱部５上にクーラーボックス等の荷物を載置することも可能であり、竿掛け具１をキャリアとして使用することができる。
【００３３】
次に、本考案に係る竿掛け具の第２から第４実施形態について、図５及び図６を参照して以下に説明する。
【００３４】
第２実施形態と第１実施形態との異なる点は、第１実施形態では、コ字状棒部材７の先端部７ａには何も取り付けられていないのに対し、第２実施形態の竿掛け具では、図５の（ａ）に示すように、コ字状棒部材７の先端部７ａに巻回され互いに間隔を空けて設置されていると共に弾性材料で形成された一対の弾性凸部２７を備えている点である。
上記弾性凸部２７は、例えばスポンジやゴムを先端部７ａに巻き付けて形成されている。
第２実施形態では、釣り竿３を掛ける場合、一対の弾性凸部２７の間に釣り竿３を載置する。
【００３５】
このように第２実施形態の竿掛け具では、コ字状棒部材７の先端部７ａに巻回され互いに間隔を空けて設置されていると共に弾性材料で形成された一対の弾性凸部２７を備えているので、一対の弾性凸部２７の間で釣り竿３を載置することで、釣り竿３が左右にずれることを一対の弾性凸部２７で抑制可能である。また、一対の弾性凸部２７が、弾性材料で形成されているため、釣り竿３が当たっても釣り竿３を傷付けることがない。
【００３６】
次に、第３実施形態と第１実施形態との異なる点は、第１実施形態では、コ字状棒部材７の先端部７ａが直棒状であるのに対し、第３実施形態の竿掛け具では、図５の（ｂ）に示すように、コ字状棒部材３７が、その先端部３７ａの中央にＶ字状又はＵ字状に曲がった凹み部３７ｂを有している点である。
このように第３実施形態の竿掛け具では、コ字状棒部材３７が、その先端部３７ａにＶ字状又はＵ字状に曲がった凹み部３７ｂを有しているので、凹み部３７ｂに釣り竿３を載置することで位置決めされ、釣り竿３が左右にずれ難くなる。
【００３７】
次に、第４実施形態と第１実施形態との異なる点は、第１実施形態では、棒部材であるストッパ部９で傾斜したコ字状棒部材７を支持しているのに対し、第４実施形態の竿掛け具４１では、図６に示すように、コ字状棒部材７の一対の端部から先端部７ａまでの途中に一端部４７ａを軸として回動可能に取り付けられた一対のストッパ部４７と、一対の支柱部５の途中に前方に突出した一対のストッパ用凸部５ｂとを備えている点である。
すなわち、一対のストッパ部４７の他端部がストッパ用凸部５ｂの上面に当接して係止されることで、傾斜したコ字状棒部材７が支持される。
【００３８】
このように第４実施形態の竿掛け具４１においても、コ字状棒部材７を支持してコ字状棒部材７の傾斜状態を保持するストッパ部４７を備えているので、第１実施形態と同様に、釣り竿３の重さによってコ字状棒部材７の先端側が下がって傾斜角度が変わってしまうことを防止できる。
【００３９】
次に、第５実施形態と第４実施形態との異なる点は、第４実施形態では、ストッパ部４７の他端部がストッパ用凸部５ｂの上面に当接して係止され、傾斜したコ字状棒部材７を支持しているのに対し、第５施形態の竿掛け具５１では、図７に示すように、コ字状棒部材７の端部から先端部７ａまでの途中に一端部５７ａを軸として回動可能に取り付けられ長孔５７ｂを有したストッパ部５７と、長孔５７ｂ内に支柱部５から突出したボルトにストッパ部５７を挟んで螺着された蝶ナット５７ｃとを備えている点である。
【００４０】
上記ストッパ部５７は、長さ方向に沿って長孔５７ｂが延在して形成されており、長孔５７ｂ内の任意の位置で蝶ナット５７ｃを締めることで支柱部５に固定が可能になっている。
このように第５実施形態の竿掛け具５１では、長孔５７ｂ内の任意の位置で蝶ナット５７ｃによりストッパ部５７を固定することで、コ字状棒部材７の角度を任意に変えることができると共に、釣り竿３の重さによってコ字状棒部材７の先端側が下がって傾斜角度が変わってしまうことを防止できる。
【００４１】
次に、第６実施形態と第５実施形態との異なる点は、第５実施形態では、長孔５７ｂ内の任意の位置で蝶ナット５７ｃによりストッパ部５７を固定することで、コ字状棒部材７の角度を任意に変えることができるのに対し、第６施形態の竿掛け具６１では、図８に示すように、コ字状棒部材７の端部から先端部７ａまでの途中に一端部６７ａを軸として回動可能に取り付けられ複数の切り欠き部６７ｂを有したストッパ部６７と、任意の切り欠き部６７ｂ内に係止可能に支柱部５から突出した突出棒部６７ｃとを備えている点である。
【００４２】
第６実施形態のストッパ部６７は、下方に開口した矩形状の複数の切り欠き部６７ｂを互いに間隔を空けて延在方向に並べて有しており、任意の切り欠き部６７ｂに突出棒部６７ｃを嵌め込むことで、任意の切り欠き部６７ｂの位置でストッパ部６７の固定が可能になっている。なお、第６実施形態では、３つの切り欠き部６７ｂをストッパ部６７に形成している。
このように第６実施形態の竿掛け具６１では、任意の切り欠き部６７ｂに突出棒部６７ｃを嵌め込むことで、コ字状棒部材７の角度を任意に段階的に変えることができると共に、釣り竿３の重さによってコ字状棒部材７の先端側が下がって傾斜角度が変わってしまうことを防止できる。
【００４３】
なお、本考案の技術範囲は上記各実施形態に限定されるものではなく、本考案の趣旨を逸脱しない範囲において種々の変更を加えることが可能である。
【００４４】
例えば、上記実施形態では、リール２としてスピニングリールを釣り竿３に取り付け、支持棒部６にリール２の竿装着部２ｂを係止させるが、図９に示すように、両軸リールのリール２２を取り付けた釣り竿２３を掛ける際には、釣り竿２３にフック２４を取り付けておく。すなわち、リール２２が両軸リールの場合、釣り竿２３を掛けようとした際に釣り竿２３の上側にリール２２が取り付けられているため、支持棒部６に両軸リールのリール２２に係止させることができない。そのため、支持棒部６に係止可能なフック２４を釣り竿２３のリール２２よりも後端側に取り付けておく。
【００４５】
上記フック２４は、釣り竿２３のリール２２と反対側である下側に、取り付けバンド２５等を用いて固定されている。取り付けバンド２５は、例えば面ファスナー等が採用可能である。
フック２４は、支持棒部６の断面形状に合わせて円弧状に形成された突出部２４ａと、釣り竿２３に固定される直線部２４ｂとを有している。
【００４６】
上記フック２４を取り付けた釣り竿２３を掛ける際には、支持棒部６の後方から釣り竿２３を差し込むことで、フック２４の突出部２４ａが支持棒部６に係止されると共に、釣り竿２３の先端側がコ字状棒部材７の先端部７ａ上に載置される。また、釣り竿２３を外す際には、釣り竿２３を支持棒部６の後方に引き抜くようにすることで、支持棒部６によるフック２４の係止が解除され、容易に釣り竿２３を取り外すことができる。
【００４７】
このようにリール２２が両軸リールである場合でも、リール２２の代わりにフック２４を釣り竿２３に取り付けて支持棒部６に係止させることで、釣り竿２３を容易に竿掛け具１に掛けることができる。
なお、このようなフックを磯竿だけでなく、ヘラブナ用竿の基端部等に設けることで、ヘラブナ用竿も同様に、本考案の竿掛け具に容易に掛けることが可能になる。
【符号の説明】
【００４８】
１，４１，５１，６１…竿掛け具、２，２２…リール、２ａ…リール本体、２ｂ…竿装着部、３，２３…釣り竿、４…土台部、４ａ…長尺棒部材、４ｂ…横棒部材、５…支柱部、６…支持棒部、７…コ字状棒部材、９，４７，５７，６７…ストッパ部、２４…フック、２７…弾性凸部、３７ｂ…凹み部
【図１】
0003215752.tif 000003
【図２】
0003215752.tif 000004
【図３】
0003215752.tif 000005
【図４】
0003215752.tif 000006
【図５】
0003215752.tif 000007
【図６】
0003215752.tif 000008
【図７】
0003215752.tif 000009
【図８】
0003215752.tif 000010
【図９】
0003215752.tif 000011